(57)【要約】【課題】  始動時及び低速回転時の電源電圧を確保できると共に、回路インピーダンスを高くして高速回転時の点火コイルの二次電圧の低下を防止でき、しかも高速回転時の回路構成素子に対する電気的ストレスを小さくできようにする。【解決手段】  電源用コンデンサ１７とソースコイル５との間に、ダイオード２５及び抵抗２６の直列回路２７と、この直列回路２７に対して並列に接続され、且つ内燃機関の始動時及び低速回転時にオンして直列回路２７の両端間を短絡し高速回転時にオフするスイッチング素子２８とを、ソースコイル５に負の電圧Ｖ1,Ｖ3 が発生したときにその充電電流Ｉ27, Ｉ28により夫々を介して電源用コンデンサ１７を充電するように介在する。【選択図】  図１
2005188415.tif 000002
【特許請求の範囲】
【請求項１】
内燃機関により駆動される磁石式発電機（１）のソースコイル（５）に正の電圧Ｖ2 が発生したときにその充電電流により点火用コンデンサ（６）を充電し、放電用スイッチング素子（７）のオンにより点火用コンデンサ（６）の電荷を点火コイル（４）の一次側に放電して、その二次側に高電圧を発生させるようにした内燃機関用点火装置において、電源用コンデンサ（１７）とソースコイル（５）との間に、ダイオード（２５）及び抵抗（２６）の直列回路（２７）と、該直列回路（２７）に対して並列に接続され、且つ内燃機関の始動時及び低速回転時にオンして直列回路（２７）の両端間を短絡し高速回転時にオフするスイッチング素子（２８）とを、ソースコイル（５）に負の電圧Ｖ1,Ｖ3 が発生したときにその充電電流Ｉ27, Ｉ28により夫々を介して電源用コンデンサ（１７）を充電するように介在したことを特徴とする内燃機関用点火装置の電源回路。
【請求項２】
電源用コンデンサ（１７）の充電電圧Ｖ17と基準電圧ＶS とを比較して、電源用コンデンサ（１７）の充電電圧Ｖ17が基準電圧ＶS よりも低いときにスイッチング素子（２８）をオンし、電源用コンデンサ（１７）の充電電圧Ｖ17が基準電圧ＶS 以上のときにスイッチング素子（２８）をオフする制御部を設けたことを特徴とする請求項１に記載の内燃機関用点火装置の電源回路。
【請求項３】
スイッチング素子（２８）をトランジスタ（２９）により構成し、該トランジスタ（２９）のベース側に接続された第１定電圧ダイオード（３１）のツェナー電圧Ｖ31から該トランジスタ（２９）のベース・エミッタ間電圧ＶBEを引いた電圧を基準電圧ＶS とし、電源用コンデンサ（１７）の充電電圧Ｖ17が基準電圧ＶS よりも低いときにトランジスタ（２９）がオンし、電源用コンデンサ（１７）の充電電圧Ｖ17が基準電圧ＶS 以上のときにトランジスタ（２９）がオフするように構成したことを特徴とする請求項１又は２に記載の内燃機関用点火装置の電源回路。
【請求項４】
電源用コンデンサ（１７）に並列に第２定電圧ダイオード（３２）を接続し、該第２定電圧ダイオード（３２）のツェナー電圧Ｖ32を基準電圧ＶS 以上としたことを特徴とする請求項２又は３に記載の内燃機関用点火装置の電源回路。
【発明の詳細な説明】
【技術分野】
【０００１】
本発明は、内燃機関用点火装置の電源回路に関するものである。
【背景技術】
【０００２】
コンデンサ充放電式の内燃機関用点火装置は、図７に示すように内燃機関により駆動される磁石式発電機１と、一次コイル２及び二次コイル３を有する点火コイル４と、磁石式発電機１のソースコイル５に正の電圧Ｖ2 （図８参照）が発生したときにその充電電流により充電される点火用コンデンサ６と、所定の点火時期に点火信号を出力する点火時期制御部８と、点火時期制御部８からの点火信号によりオンして点火用コンデンサ６の電荷を点火コイル４の一次コイル２を経て放電させるサイリスタ等の放電用スイッチング素子７と、点火時期制御部８に電源電圧を供給する電源回路９とを備えている。
【０００３】
磁石式発電機１は、内燃機関のクランク軸等のロータ１０側に設けられた磁石、ステータ側に設けられたソースコイル５等を備え、ロータ１０の回転により、ソースコイル５に図８に示すように負の電圧Ｖ1 、正の電圧Ｖ2 、負の電圧Ｖ3 の順番で各電圧Ｖ1 〜Ｖ3 が発生する。ソースコイル５の巻き始め側には、点火時期制御部８、電源回路９、ダイオード１３等が接続されている。点火コイル４の二次コイル３は、点火プラグ１１に接続されている。
【０００４】
なお、ソースコイル５、ダイオード１２、点火用コンデンサ６、一次コイル２、ダイオード１３によって、点火用コンデンサ６の充電回路が構成されている。また点火用コンデンサ６、放電用スイッチング素子７、点火コイル４の一次コイル２によって、点火用コンデンサ６の放電回路が構成されている。
【０００５】
内燃機関の点火に際して、ソースコイル５に正の電圧Ｖ2 が発生すると、この電圧Ｖ2 によりダイオード１２、点火用コンデンサ６、点火コイル４の一次コイル２、ダイオード１３を経て充電電流が流れ、その充電電流により点火用コンデンサ６を充電する。そして、その直後にソースコイル５に発生する負の電圧Ｖ3 等の回転情報に基づいて点火時期制御部８が所定の点火時期に点火信号を出力し、その点火信号により放電用スイッチング素子７がオンして、点火用コンデンサ６の電荷を放電用スイッチング素子７、点火コイル４の一次コイル２を経て放電し、点火コイル４の二次コイル３に発生する高電圧を点火プラグ１１に印加する。なお、点火用コンデンサ６の逆方向の電荷は、点火コイル４の一次コイル２、ダイオード１４、ダイオード１２を経て放電する。
【０００６】
点火時期制御部８に電源電圧を印加する電源回路９には、従来、図９、図１０に示すような回路構成のものがある。図９の電源回路９は、ソースコイル５に負の電圧Ｖ1,Ｖ3 が発生したときに、その充電電流により抵抗１５、ダイオード１６を介して電源用コンデンサ１７を充電して、この電源用コンデンサ１７の充電電圧を電源端子１８から電源電圧として取り出し、また電源用コンデンサ１７に並列に接続された定電圧ダイオード１９のツェナー電圧により電源電圧を略一定に制御する。
【０００７】
図１０の電源回路９は、ソースコイル５と電源用コンデンサ１７との間にトランジスタ２０を接続すると共に、このトランジスタ２０のベース・コレクタ間に抵抗２１を、トランジスタ２０のベース・アース間に定電圧ダイオード２２を夫々接続している。そして、定電圧ダイオード２２のツェナー電圧を基準電圧とし、電源用コンデンサ１７の充電電圧が基準電圧よりも低い場合に、ソースコイル５に発生する負の電圧Ｖ1,Ｖ3 により抵抗２１を経てベース電流を流してトランジスタ２０をオンし、このトランジスタ２０を介して電源用コンデンサ１７を充電する。そして、電源端子１８から電源用コンデンサ１７の充電電圧を電源電圧として取り出す。
【０００８】
またコンデンサ充放電式の内燃機関用点火装置には、低速回転時の点火時期をハードウェア的に制御する低速時点火制御部と、高速回転時の点火時期をソフトウェア的に制御する高速時点火制御部とを備えると共に、この各点火制御部に対応して２個の電源回路を設け、内燃機関の回転速度に応じて各電源回路から低速時点火制御部及び高速時点火制御部に所定の電源電圧を印加するようにしたものがある（特許文献１）。
【特許文献１】特開２００３−４９７５７号公報
【発明の開示】
【発明が解決しようとする課題】
【０００９】
図９の電源回路９では、抵抗１５を短絡するか又はその抵抗値を小さくすると、回路インピーダンスが低いため、内燃機関の高速回転時に点火コイル４の二次電圧が低下すると共に、各素子の電気的ストレスが増加して高耐力の部品を必要とする等、コスト高になる欠点がある。しかし、逆に抵抗１５の抵抗値を大きくすると、回路インピーダンスが高いため、内燃機関の低速回転時に十分な電源電圧を確保できない欠点がある。
【００１０】
また図１０の電源回路９では、トランジスタ２０をオンして、このトランジスタ２０を通じて電源用コンデンサ１７を充電するため、負の電圧Ｖ1,Ｖ3 が低いロータ１０の１回転目より所定の電源電圧を確保でき、また内燃機関の高速回転時に点火コイル４の二次電圧の低下を防止できる。しかし、高速回転時にトランジスタ２０への電気的ストレスが大きくなり、サイズが大きく定格の大きいトランジスタ２０を使用する必要があり、大型化する欠点がある。
【００１１】
特許文献１の場合には、低速時点火制御部と高速時点火制御部とに対応して２個の電源回路があるため、前二者の電源回路９のような問題は解消できる。しかし、この場合には異なる構成の２個の電源回路があるため、その回路構成がそれだけ複雑になり、部品点数の増加、組立て工数の増加等によって製作コストが高騰し、また点火装置全体が大型化する欠点がある。
【００１２】
本発明は、かかる従来の課題に鑑み、始動時及び低速回転時の電源電圧を確保できると共に、回路インピーダンスを高くして高速回転時の点火コイルの二次電圧の低下を防止でき、しかも高速回転時の回路構成素子に対する電気的ストレスを小さくでき、更には簡単な回路構成で容易且つ安価に実施できる内燃機関用点火装置の電源回路を提供することを目的とする。
【課題を解決するための手段】
【００１３】
本発明は、内燃機関により駆動される磁石式発電機１のソースコイル５に正の電圧Ｖ2 が発生したときにその充電電流により点火用コンデンサ６を充電し、放電用スイッチング素子７のオンにより点火用コンデンサ６の電荷を点火コイル４の一次側に放電して、その二次側に高電圧を発生させるようにした内燃機関用点火装置において、電源用コンデンサ１７とソースコイル５との間に、ダイオード２５及び抵抗２６の直列回路２７と、該直列回路２７に対して並列に接続され、且つ内燃機関の始動時及び低速回転時にオンして直列回路２７の両端間を短絡し高速回転時にオフするスイッチング素子２８とを、ソースコイル５に負の電圧Ｖ1,Ｖ3 が発生したときにその充電電流Ｉ27, Ｉ28により夫々を介して電源用コンデンサ１７を充電するように介在したものである。
【００１４】
なお、電源用コンデンサ１７の充電電圧Ｖ17と基準電圧ＶS とを比較して、電源用コンデンサ１７の充電電圧Ｖ17が基準電圧ＶS よりも低いときにスイッチング素子２８をオンし、電源用コンデンサ１７の充電電圧Ｖ17が基準電圧ＶS 以上のときにスイッチング素子２８をオフする制御部を設けても良い。
【００１５】
またスイッチング素子２８をトランジスタ２９により構成し、該トランジスタ２９のベース側に接続された第１定電圧ダイオード３１のツェナー電圧Ｖ31から該トランジスタ２９のベース・エミッタ間電圧ＶBEを引いた電圧を基準電圧ＶS とし、電源用コンデンサ１７の充電電圧Ｖ17が基準電圧ＶS よりも低いときにトランジスタ２９がオンし、電源用コンデンサ１７の充電電圧Ｖ17が基準電圧ＶS 以上のときにトランジスタ２９がオフするように構成しても良い。
【００１６】
更に電源用コンデンサ１７に並列に第２定電圧ダイオード３２を接続し、該第２定電圧ダイオード３２のツェナー電圧Ｖ32を基準電圧ＶS 以上としても良い。
【発明の効果】
【００１７】
本発明によれば、始動時及び低速回転時の電源電圧を十分に確保できると共に、回路インピーダンスを高くして高速回転時の点火コイル４の二次電圧の低下を防止でき、しかも高速回転時の回路構成素子に対する電気的ストレスを小さくでき、更には簡単な回路構成で容易且つ安価に実施できる利点がある。
【発明を実施するための最良の形態】
【００１８】
以下、本発明の実施例を図面に基づいて詳述する。なお、従来と同一の名称物については同一の符号を付して、その説明を省略する。
【００１９】
図１〜図５は本発明の第１の実施例を例示する。この内燃機関用点火装置では、図１に示すようにソースコイル５の巻き始め側と電源用コンデンサ１７との間に、ダイオード２５と抵抗２６との直列回路２７と、この直列回路２７に対して並列に接続されたスイッチング素子２８とが、ソースコイル５に負の電圧Ｖ1,Ｖ3 が発生したときにその充電電流Ｉ27, Ｉ28により夫々を介して電源用コンデンサ１７を充電するように介在されている。
【００２０】
即ち、ソースコイル５の巻き始め側と電源用コンデンサ１７との間には、ダイオード２５と抵抗２６との直列回路２７が介在され、この直列回路２７に対してスイッチング素子２８が並列に接続されている。そして、内燃機関の始動時及び低速回転時にスイッチング素子２８がオンして直列回路２７の両端を短絡し、ソースコイル５の負の電圧Ｖ1,Ｖ3 による充電電流Ｉ28により、このスイッチング素子２８を介して電源用コンデンサ１７を充電する。また内燃機関の低速回転以外の中速回転時を含む高速回転時には、スイッチング素子２８がオフして、ソースコイル５の負の電圧Ｖ1,Ｖ3 による充電電流Ｉ27により、直列回路２７を介して電源用コンデンサ１７を充電する。なお、ダイオード２５は電源用コンデンサ１７の充電方向に順方向である。
【００２１】
スイッチング素子２８はＮＰＮ型のトランジスタ２９により構成され、そのコレクタがソースコイル５側に、エミッタが電源用コンデンサ１７側に夫々接続されている。そして、トランジスタ２９のコレクタとベースとの間に抵抗３０が並列に接続され、またベースとアースとの間に第１定電圧ダイオード３１が接続されている。電源用コンデンサ１７には、第２定電圧ダイオード３２が並列に接続されている。
【００２２】
トランジスタ２９は、第１定電圧ダイオード３１のツェナー電圧Ｖ31からトランジスタ２９のベース・エミッタ間電圧ＶBEを引いた電圧（Ｖ31−ＶBE）を基準電圧ＶS として、この基準電圧ＶS と電源用コンデンサ１７の充電電圧Ｖ17とを比較し、電源用コンデンサ１７の充電電圧Ｖ17が基準電圧ＶS に対して高低の何れであるかによってオン・オフする。そして、電源用コンデンサ１７の充電電圧Ｖ17が基準電圧ＶS よりも低い始動時及び低速回転時には、トランジスタ２９がオンして直列回路２７を短絡し、また電源用コンデンサ１７の充電電圧Ｖ17が基準電圧ＶS 以上となる中速回転時及び高速回転時には、トランジスタ２９がオフする。
【００２３】
第２定電圧ダイオード３２により電源用コンデンサ１７の充電電圧Ｖ17を略一定に制御する場合には、第２定電圧ダイオード３２のツェナー電圧Ｖ32は基準電圧ＶS 以上に設定する必要がある。例えば、ツェナー電圧Ｖ32と基準電圧ＶS とを同じに設定しても良いし、ツェナー電圧Ｖ32を基準電圧ＶS よりも大に設定しても良い。
【００２４】
内燃機関が回転すると、磁石式発電機１のソースコイル５に発生する電圧Ｖ1,Ｖ3 は、図２（Ａ）〜（Ｃ）に低速回転時、中速回転域及び高速回転域の電圧波形を示すように、ロータ１０の回転速度の上昇に伴って周波数が高くなり、またその電圧も上昇する。なお、図２の波形図では、電圧Ｖ2 は省略している。
【００２５】
例えば、内燃機関の始動時（ロータ１０の１回転目）、低速回転時には、図３の（Ｂ）に示すように電源用コンデンサ１７の充電電圧Ｖ17が基準電圧ＶS よりも低いため、ロータ１０の回転によってソースコイル５に発生する負の電圧Ｖ1,Ｖ3 により、抵抗２６を介してトランジスタ２９にベース電流が流れ、これによってトランジスタ２９がオンする。そして、このトランジスタ２９のオンによって直列回路２７が短絡されるため、ソースコイル５の負の電圧Ｖ1,Ｖ3 による充電電流Ｉ28がトランジスタ２９を経て電源用コンデンサ１７に流れ、この充電電流Ｉ28により電源用コンデンサ１７を充電する。
【００２６】
トランジスタ２９がオンしている場合、トランジスタ２９のコレクタ・エミッタ間電圧ＶCE（＝ダイオード２５の充電電圧Ｖ17＋抵抗２６の両端電圧Ｖ26）は、図３の（Ａ）に示すように極僅かであり、このトランジスタ２９によって直列回路２７を短絡した状態となる。このため直列回路２７を介して電源用コンデンサ１７に流れる充電電流Ｉ27は殆どない。
【００２７】
ロータ１０の回転速度が中速回転まで上昇すると、図４（Ａ）〜（Ｃ）に示すように、オン状態のトランジスタ２９を介して流れる充電電流Ｉ28により電源用コンデンサ１７が順次充電され、その充電電圧Ｖ17が次第に上昇する。そして、電源用コンデンサ１７の充電電圧Ｖ17が基準電圧ＶS 以上になると、抵抗２６による電圧降下がなくなるため、トランジスタ２９のベース電流が流れなくなり、トランジスタ２９がオフする。
【００２８】
トランジスタ２９がオフすると、直列回路２７の回路インピーダンスが急激に高くなることから、トランジスタ２９のコレクタ・エミッタ間電圧ＶCE（＝ダイオード２５の充電電圧Ｖ17＋抵抗２６の両端電圧Ｖ26）が図４の（Ａ）に示すように上昇し、直列回路２７のダイオード２５、抵抗２６を経て流れる充電電流Ｉ27により電源用コンデンサ１７を充電する。従って、電源用コンデンサ１７の充電電圧Ｖ17が基準電圧ＶS の近辺まで上昇する中速回転時には、図４に示すようにトランジスタ２９を経て流れる充電電流Ｉ28と、直列回路２７のダイオード２５、抵抗２６を経て流れる充電電流Ｉ27とによって電源用コンデンサ１７を充電することになる。
【００２９】
このようにロータ１０の回転速度が中速回転を超えると、トランジスタ２９がオフするため、その後は直列回路２７を経て流れる充電電流Ｉ27により電源用コンデンサ１７が充電される。しかし、高速回転になれば、ソースコイル５に発生する電圧の周期が短くなり、しかもその電圧が高くなることから、図５（Ｂ）に示すように絶えず電源用コンデンサ１７の充電電圧Ｖ17を基準電圧ＶS 以上に維持することができる。従って、中速回転から高速回転の速度域では、トランジスタ２９はオフ状態を継続し、図５（Ａ）に示すように専ら直列回路２７を経て流れる充電電流Ｉ27により電源用コンデンサ１７を充電する。このためトランジスタ２９を経て電源用コンデンサ１７に流れる充電電流Ｉ28は殆どなくなり、事実上無視できる程度である。
【００３０】
この実施例では、電源用コンデンサ１７の充電電圧Ｖ17である電源電圧が基準電圧ＶS よりも低い回転速度域、即ち、内燃機関の始動時、低速回転時では、トランジスタ２９をオンさせてダイオード２５と抵抗２６との直列回路２７の両端を短絡し、このトランジスタ２９を介して電源用コンデンサ１７を充電するため、ロータ１０の１回転目から所定の電源電圧を確保できる。従って、点火時期制御部８を始動直後から動作させることが可能である。
【００３１】
またトランジスタ２９を経て電源用コンデンサ１７に充電電流Ｉ28が流れるのは、内燃機関の回転速度が中速回転より下の低速回転時であって、電源用コンデンサ１７の充電電圧Ｖ17が基準電圧ＶS よりも高くなる中速回転から高速回転の速度では、トランジスタ２９をオフさせてダイオード２５と抵抗２６の直列回路２７を経て電源用コンデンサ１７に充電電流Ｉ27を流すので、トランジスタ２９に大きな電気的ストレスがかかるようなことはない。このためトランジスタ２９にも定格の小さいものを使用することが可能であり、点火装置全体を小型化でき、また安価に製作できる。
【００３２】
更にダイオード２５と共に直列回路２７を構成する抵抗２６の抵抗値を大きくでき、またトランジスタ２９のベース側の抵抗３０にも抵抗値の大きいものを使用できる。このため回路インピーダンスを高くして点火コイル４の二次電圧の低下を防止でき、また他の回路素子に小さい定格のものを使用できる。
【００３３】
１個の電源回路９で低速回転域から高速回転域まで所定の電源電圧を確保できるため、低速回転用と高速回転用とで別々の電源回路９を設ける場合に比較して、回路構成自体が非常に簡単であり、少ない部品点数、組立て工数で容易且つ安価に製作できる利点もある。
【００３４】
また電源用コンデンサ１７の充電電圧Ｖ17と基準電圧ＶS とを比較して、電源用コンデンサ１７の充電電圧Ｖ17が基準電圧ＶS よりも低いときにスイッチング素子２８をオンし、電源用コンデンサ１７の充電電圧Ｖ17が基準電圧ＶS 以上のときにスイッチング素子２８をオフする制御部を設けているので、回路構成を簡単にできる。
【００３５】
特にスイッチング素子２８をトランジスタ２９により構成し、トランジスタ２９のベース側に接続された第１定電圧ダイオード３１のツェナー電圧Ｖ31からトランジスタ２９のベース電圧ＶBEを引いた電圧を基準電圧ＶS とし、電源用コンデンサ１７の充電電圧Ｖ17が基準電圧ＶS よりも低いときにトランジスタ２９がオンし、電源用コンデンサ１７の充電電圧Ｖ17が基準電圧ＶS 以上のときにトランジスタ２９がオフするように構成する場合には、回路構成を非常に簡素化できる。
【００３６】
更に電源用コンデンサ１７に並列に第２定電圧ダイオード３２を接続し、第２定電圧ダイオード３２のツェナー電圧Ｖ32を基準電圧ＶS 以上とすることにより、スイッチング素子２８又はトランジスタ２９を確実にオン・オフできると共に、電源電圧を略一定に制御することができる。
【００３７】
図６は本発明の第２の実施例を例示する。この実施例では、電源用コンデンサ１７に並列に接続されていた定電圧ダイオードを省略している。このように定電圧ダイオードを省けば、内燃機関の回転速度の上昇に伴って電源用コンデンサ１７の充電電圧Ｖ17を高くすることができる。
【００３８】
以上、本発明の実施例について詳述したが、本発明はこの実施例に限定されるものではなく、その趣旨を逸脱しない範囲内で種々の変更が可能である。例えば、実施例では、放電用スイッチング素子７としてサイリスタを使用し、また直列回路２７に対して並列接続されたスイッチング素子２８としてトランジスタ２９を例示しているが、これらのスイッチング素子７，２８はトランジスタ、サイリスタ、ＦＥＴ、ＩＧＢＴ等、種々のスイッチング素子を使用することが可能である。
【００３９】
スイッチング素子２８をオン・オフ制御する制御部を抵抗２６、定電圧ダイオード３１等により構成したが、所定の基準電圧ＶS と電源用コンデンサ１７の充電電圧Ｖ17とを比較して、充電電圧Ｖ17が基準電圧ＶS よりも低い内燃機関の始動時、低速時にスイッチング素子２８がオンし、充電電圧Ｖ17が基準電圧ＶS 以上となる内燃機関の中速、高速時にスイッチング素子２８がオフする構成であれば、実施例に例示の構成以外のものでも良い。
【００４０】
電源回路９は、点火時期制御部８に対する電源電圧印加用として使用するのみでなく、内燃機関用点火装置の構成要素であって、各種の動作や制御を行う回路の電源用として利用することも可能である。例えば、内燃機関の点火制御に関連する制御機能を有するＣＰＵ、サイリスタ駆動回路等の電源、若しくはそのサイリスタの駆動電源、更には内燃機関の回転検出部の電源等にも利用することができる。またオイルウォーニング制御部の電源にも利用できる。
【００４１】
また実施例では、図４に示すように電源用コンデンサ１７の充電電圧Ｖ17が基準電圧ＶS の上下近傍となるときの内燃機関の回転速度を中速回転とし、その中速度域で充電電圧Ｖ17が基準電圧ＶS よりも低いときにトランジスタ２９がオンし、中速度域で充電電圧Ｖ17が基準電圧ＶS 以上のときにトランジスタ２９がオフするものとして説明している。しかし、電源用コンデンサ１７の充電電圧Ｖ17が基準電圧ＶS よりも低いときの内燃機関の回転速度を低速回転とし、充電電圧Ｖ17が基準電圧ＶS 以上のときの内燃機関の回転速度を高速回転として、実施例の中速回転をなくしても良い。この場合には、内燃機関の回転速度は低速回転と高速回転との２種類となり、内燃機関の始動時、低速回転時にスイッチング素子２８がオンし、高速回転時にスイッチング素子２８がオフすることになる。
【図面の簡単な説明】
【００４２】
【図１】本発明の第１の実施例を示す内燃機関用点火装置の回路図である。
【図２】本発明の第１の実施例を示す負の電圧の波形図である。
【図３】本発明の第１の実施例を示す低速回転時の波形図である。
【図４】本発明の第１の実施例を示す中速回転時の波形図である。
【図５】本発明の第１の実施例を示す高速回転時の波形図である。
【図６】本発明の第２の実施例を示す内燃機関用点火装置の回路図である。
【図７】従来の内燃機関用点火装置の回路図である。
【図８】ソースコイルに発生する電圧の波形図である。
【図９】従来の電源回路の回路図である。
【図１０】従来の電源回路の回路図である。
【符号の説明】
【００４３】
１  磁石式発電機
４  点火コイル
５  ソースコイル
６  点火用コンデンサ
７  放電用スイッチング素子
１７  電源用。コンデンサ
２５  ダイオード
２６  抵抗
２７  直列回路
２８  スイッチング素子
２９  トランジスタ
３１  第１定電圧ダイオード
３２  第２定電圧ダイオード
【図１】
2005188415.tif 000003
【図２】
2005188415.tif 000004
【図３】
2005188415.tif 000005
【図４】
2005188415.tif 000006
【図５】
2005188415.tif 000007
【図６】
2005188415.tif 000008
【図７】
2005188415.tif 000009
【図８】
2005188415.tif 000010
【図９】
2005188415.tif 000011
【図１０】
2005188415.tif 000012